(57)【要約】    【課題】  昼間及び夜間において大型店舗を効率よく営業できるようにした店舗構造を提供する。    【解決手段】  所定の時間だけ営業を行う通常営業の売場と２４時間の営業を行う昼夜営業の売場とを設けるようにした店舗構造において、店舗建物１０には壁面１０Ｆによって昼夜営業の売場２０が通常営業の売場１０Ａ、１０Ｂから仕切られ又は通常営業の売場に併設され、該昼夜営業の売場の電気系統が通常営業の売場の電気系統とは別系統に構成されている一方、上記昼夜営業の売場の出入口２０Ｃを通常営業の売場とは別の出入口に構成されている。【選択図】  図１
0003187854.tif 000002
【実用新案登録請求の範囲】
【請求項１】
所定の時間だけ営業を行う通常営業の売場と２４時間の営業を行う昼夜営業の売場とを設けるようにした店舗構造において、
店舗建物（１０）には昼夜営業の売場（２０）が壁面（１０Ｆ）によって通常営業の売場（１０Ａ、１０Ｂ）から仕切られ又は通常営業の売場（１０Ａ、１０Ｂ）に併設され、該昼夜営業の売場（２０）の電気系統が通常営業の売場（１０Ａ、１０Ｂ）の電気系統とは別系統に構成されている一方、上記昼夜営業の売場（２０）の出入口（２０Ｃ）が通常営業の売場（１０Ａ、１０Ｂ）とは別の出入口に構成されていることを特徴とする店舗構造。
【請求項２】
昼夜営業の売場（２０）の駐車場（２０Ｅ）がフェンス（１０Ｇ）によって通常売場（１０Ａ、１０Ｂ）の駐車場（１０Ｅ）から仕切られている請求項１記載の店舗構造。
【考案の詳細な説明】
【技術分野】
【０００１】
本考案は店舗構造に関し、特に昼間及び夜間において大型店舗を効率よく営業できるようにした構造に関する。
【背景技術】
【０００２】
例えば、複数の目的を付与するようにした建築物が提案されている。例えば、コンビニエンスストアの商品棚とホテルのフロントとを同じ領域に設け、コンビニエンスストアの会計をホテルのフロントで行えるようにした方式が提案されている（特許文献１）。
【０００３】
また、スーパーマーケットなどの大型店舗において、食料品以外の売場は例えば午前７時から午前０時、あるいは午前１０時から午後８時までの通常営業とし、食料品売場は昼夜営業（２４時間営業）とした店舗がある。
【先行技術文献】
【特許文献】
【０００４】
【特許文献１】特開２００６−１３３４４８号公報
【考案の開示】
【考案が解決しようとする課題】
【０００５】
しかし、上述のように、所定時間だけの通常営業と２４時間の昼夜営業に分けて営業する方式では食料品売場などは昼間営業を行う大型店舗である関係上、品揃えをしておかなければならず、売場面積を比較的広くする必要があるので、夜間においてもある程度の人数の店員を必要とするばかりでなく、十分な照明も必要となり、光熱費のアップを招来する。
【０００６】
本考案はかかる問題点に鑑み、夜間においては少ない人員で営業を行うことができるとともに、大幅な光熱費アップを招来することのないようにした店舗構造を提供することを課題とする。
【課題を解決するための手段】
【０００７】
そこで、本考案に係る店舗構造は、所定の時間だけ営業を行う通常営業の売場と２４時間の営業を行う昼夜営業の売場とを設けるようにした店舗構造において、店舗建物には昼夜営業の売場が壁面によって通常営業の売場から仕切られ又は通常営業の売場に併設され、該昼夜営業の売場の電気系統が通常営業の売場の電気系統とは別系統に構成されている一方、上記昼夜営業の売場の出入口を通常営業の売場とは別の出入口に構成されていることを特徴とする。
【０００８】
本考案の特徴の１つは店舗建物に昼夜営業の売場を壁面によって通常営業の売場から仕切り又は併設し、電気系統を通常営業の売場とは別系統とするようにした点にある。
【０００９】
これにより、品揃えを求められないコンビニエンスストアなどの昼夜営業の店舗を品揃えを必要とする大型店舗の食料品売場とは別個に大型店舗にレイアウトでき、夜間においては数少ない人員や必要最低限の電源によって昼夜営業の売場を営業できることとなり、人件費や光熱費のコストアップを抑制できる。
【００１０】
また、本考案の他の特徴は昼夜営業の売場の出入口を、通常営業の売場の出入口とは別個とし、しかも昼夜営業の売場と通常営業の売場の間を壁面で仕切るようにした点にある。これにより、不審者が夜間に通常営業の売場に無断で侵入するのを防止でき、防犯上も安全である。
【００１１】
なお、昼夜営業の売場の駐車場は大型店舗の駐車場をそのまま使用するようにしてもよいが、防犯上は、昼夜営業の売場のための駐車場を通常売場の駐車場から仕切って使用するのがよい。
【００１２】
また、昼夜営業の売場は店舗建物内に設けてもよく、又店舗建物に併設するようにしてもよい。
【００１３】
なお、通常営業の売場と昼夜営業の売場とは品揃えが重複するが、例えば大型店で買い物をする客層と、コンビニエンスストアなどでの利便性を優先して買い物をする客層は相違すると考えられ、品揃えが重複しても問題はないと考えられる。
【図面の簡単な説明】
【００１４】
【図１】本考案に係る店舗構造の好ましい実施形態を示す平面構成図である。
【図２】第２の実施形態を示す平面構成図である。
【考案を実施するための形態】
【００１５】
以下、本考案を図面に示す具体例に基づいて詳細に説明する。図１は本考案に係る店舗構造の好ましい実施形態を示す。図において、スーパーマーケット（大型店舗）の建物１０には通常の食料品売場１０Ｂを含み、通常営業、例えば午前１０時から午後８時までの時間営業を行う通常売場１０Ａがレイアウトされるとともに、鉄筋コンクリート製などの壁面１０Ｆによって２４時間営業を行うコンビニエンスストア（昼夜営業売場）２０が仕切られている。
【００１６】
コンビニエンスストア２０の照明、冷蔵・冷凍設備、空調などの電気系統は通常売場１０Ａのそれとは別系統に構成され、又通常売場１０Ａには出入口１０Ｃが設けられ、コンビニエンスストア２０には通常売場１０Ａとは別個の出入口２０Ｃが設けられている。
【００１７】
さらに、建物１０の前方には通常売場１０Ａ用の駐車場１０Ｅが設けられ、駐車場１０Ｅには夜間に閉鎖される車両出入口１０Ｄが設けられ、コンビニエンスストア２０の前方にはコンビニエンスストア用の駐車場２０Ｅが設けられ、コンビニエンスストア用の駐車場２０Ｅには常時開放したゲート２０Ｄが設けられ、又通常売場１０Ａ用の駐車場１０Ｅとコンビニエンスストア用の駐車場２０Ｅとの間にはフェンス、例えばパイプ製フェンス１０Ｇによって仕切られ、夜間の駐車スペースを限定できるようになっている。
【００１８】
以上のように、店舗建物１０に昼夜営業の売場２０を壁面１０Ｆによって通常営業の売場１０Ａ、１０Ｂから仕切るとともに、電気系統を通常営業の売場１０Ａ、１０Ｂとは別系統とするようにしたので、夜間においては数少ない人員や必要最低限の電源によって昼夜営業の売場２０を営業でき、人件費や光熱費のコストアップを抑制できる。
【００１９】
また、昼夜営業の売場２０の出入口２０Ｄを、通常営業の売場１０Ａ、１０Ｂの出入口１０Ｄとは別個にし、しかも昼夜営業の売場２０と通常営業の売場１０Ａ、１０Ｂの間を壁面１０Ｆで仕切るようにしたので、不審者が時間営業の売場に無断で侵入するのを防止でき、防犯上も安全である。
【００２０】
また、図２は第２の実施形態を示し、図において図１と同一符号は同一又は相当部分を示す。本例では昼夜営業の売場２０を壁面１０Ｆを介して店舗建物１０に併設するようにしている。
【符号の説明】
【００２１】
１０        店舗建物
１０Ａ      通常営業の売場
１０Ｂ      通常の食料品売場
１０Ｃ      出入口
１０Ｅ      通常営業の売場の駐車場
１０Ｆ      壁面
１０Ｇ      フェンス
２０        昼夜営業の売場
２０Ｃ      出入口
２０        昼夜営業の売場の駐車場
【図１】
0003187854.tif 000003
【図２】
0003187854.tif 000004